(57)【特許請求の範囲】
【請求項１】
表示手段と、前記表示手段の入／切を行うスイッチング手段と、前記表示手段の点灯／消灯を選択する操作手段と、報知手段と、制御部とを備え、前記制御部は前記操作手段により前記表示手段を点灯させる場合、前記報知手段による報知音を鳴動させた後、当該報知手段の通電回路を開くように構成するとともに、前記表示手段を前記報知手段の通電回路開後に遅延手段を介して点灯させる構成とした給湯機用リモコン。
【請求項２】
表示手段と、前記表示手段の入／切を行うスイッチング手段と、前記表示手段の点灯／消灯を選択する操作手段と、報知手段とを備え、前記報知手段の電源を、前記表示手段の電源から整流素子で分岐して前記整流素子の２次側にコンデンサを配置し、前記報知手段の電源とした給湯機用リモコン。
【発明の詳細な説明】
【技術分野】
【０００１】
本発明は表示手段を備えた給湯機用リモコンに関するものである。
【背景技術】
【０００２】
従来より、給湯機のリモコンは、表示手段として蛍光表示管を利用するものがある。蛍光表示管以外には、バックライト付き液晶も使用される。蛍光表示管を利用するのは、どの角度からみても見やすい（視野角が広い）、自発光（バックライトではなく、文字そのものが発光する）という面で、浴室の壁にリモコンを取り付けても、斜めからみても見やすい、湯気があっても見やすいなどのメリットがある。
【０００３】
また、近年、ユニバーサルデザインということで、報知手段による音声案内も採用されてきた。従来は、操作に対して、ブザーで「ピッ」と受付音を報知するだけであったが、最近は、音声案内を行うために音声発生ＩＣとアンプ、スピーカーを組み合わせた報知手段を備えている。
【０００４】
このように、最近では、蛍光表示管による表示手段と報知手段の組み合わせがある。しかしながら、蛍光表示管を点灯させる場合、表示手段への突入電流があった（例えば、特許文献１参照）。
【特許文献１】特開２０００−１７２２３０号公報
【発明の開示】
【発明が解決しようとする課題】
【０００５】
表示手段への突入電流の影響で、リモコンの電源電圧が一時的に変動し、電源電圧の変動が、報知手段のアンプの電源電圧変動となり、スピーカーから「プツ」という雑音として聞こえていた。
【０００６】
本発明は、前記従来の課題を解決するもので、表示手段の点灯時に、スピーカーからの「プツ」音を無くす給湯機のリモコンを提供することを目的とする。
【課題を解決するための手段】
【０００７】
前記目的を達成するために、本発明の給湯機用リモコンは、表示手段と、前記表示手段の入／切を行うスイッチング手段と、前記表示手段の点灯／消灯を選択する操作手段と、報知手段と、制御部とを備え、前記制御部は前記操作手段により前記表示手段を点灯させる場合、前記報知手段による報知音を鳴動させた後、当該報知手段の通電回路を開くように構成するとともに、前記表示手段を前記報知手段の通電回路開後に遅延手段を介して点灯させる構成としたものである。
【０００８】
これによって、表示手段への突入電流の影響で、リモコンの電源電圧が一時的に変動することがあっても、報知手段のアンプの電源電圧変動に起因する、スピーカーからの「プツ」という雑音をなくすことができる。
【０００９】
また、表示手段と、前記表示手段の入／切を行うスイッチング手段と、前記表示手段の点灯／消灯を選択する操作手段と、報知手段を備え、前記報知手段の電源を、前記表示手段の電源から整流素子で分岐し、前記整流素子の２次側にコンデンサを配置し、前記報知手段の電源としたものである。
【００１０】
これによって、報知手段が起動しているときの報知手段の電源電圧変動を低減できるの
で、報知手段のアンプの電源電圧変動に起因する、スピーカーからの「プツ」という雑音をなくすことができる。
【発明の効果】
【００１１】
本発明の給湯機用リモコンによれば、表示手段に突入電流の大きな素子を使用しても、表示手段の起動時の電源電圧変動に起因して発生する「プツ」という雑音が、報知手段からは発生しない。
【発明を実施するための最良の形態】
【００１２】
第１の発明の給湯機用リモコンは、表示手段と、前記表示手段の入／切を行うスイッチング手段と、前記表示手段の点灯／消灯を選択する操作手段と、報知手段と、制御部とを備え、前記制御部は前記操作手段により前記表示手段を点灯させる場合、前記報知手段による報知音を鳴動させた後、当該報知手段の通電回路を開くように構成するとともに、前記表示手段を前記報知手段の通電回路開後に遅延手段を介して点灯させる構成としたものである。
【００１３】
これによって、表示手段への突入電流の影響で、リモコンの電源電圧が一時的に変動することがあっても、報知手段のアンプの電源電圧変動に起因する、スピーカーからの「プツ」という雑音をなくすことができる。
【００１４】
第２の発明の給湯機用リモコンは、表示手段と、前記表示手段の入／切を行うスイッチング手段と、前記表示手段の点灯／消灯を選択する操作手段と、報知手段を備え、前記報知手段の電源を、前記表示手段の電源から整流素子で分岐し、前記整流素子の２次側にコンデンサを配置し、前記報知手段の電源としたものである。
【００１５】
これによって、報知手段が起動しているときの報知手段の電源電圧変動を低減できるので、報知手段のアンプの電源電圧変動に起因する、スピーカーからの「プツ」という雑音をなくすことができる。
【００１６】
以下、本発明の実施の形態について、図面を参照しながら説明する。なお、本実施の形態によって本発明が限定されるものではない。
【００１７】
（実施の形態１）
図１は本発明の第１の実施の形態における給湯機用リモコンの回路ブロック図を示すものである。
【００１８】
図１において、表示手段１は蛍光表示管を用い給湯機用リモコンとして設定温度などの表示を行う。スイッチング手段２で表示手段１の電源を入／切する。使用者が操作手段３を操作し、電源を入にした場合、操作手段３は操作信号を出力する。報知手段（スピーカ）４は、操作手段３が操作された場合に、報知音や音声案内を出す。遅延手段５は、操作手段３の操作に対して、遅延してスイッチング手段２の入り切りを行う。マイクロコンピュータを主体に構成した制御部（以下、マイコンと称す）６は、操作手段３や報知手段４、遅延手段５と電気的に接続され、信号のやり取りをする。特にこのマイコン６は報知手段４による報知後に以下に詳述するようにこの報知手段の通電回路の開閉手段４ａを開くように構成してある。
【００１９】
図２は、本発明の第１の実施の形態における給湯機用リモコンの外観図を示すものである。図２において、１は図１の表示手段１の外観、３は操作手段３の外観、４は報知手段４の外観である。
【００２０】
図３は、本発明の第１の実施の形態における給湯機用リモコンの電源電圧図を示すものである。
【００２１】
以上のように構成された給湯機用リモコンについて、図１、図２および図３を用いて、その動作、作用を説明する。
【００２２】
まず、使用者がリモコンを使うために、操作手段３を押す。図３のＡのタイミングである。この時間を０ｓとする。操作手段３の信号をマイコン６が受け、報知手段４を起動する。図３のＢのタイミングである。報知手段は、０．１ｓから０．２ｓまでの０．１秒間、「ピッ」という操作音を報知する。同時に、マイコン６は遅延手段５を起動する。遅延手段５は、マイコン６からの起動を受け、０．１５秒後にスイッチング手段２を起動する。よって、報知手段４が報知を行っているこの期間は、電源電圧Ｖｃｃには変動はない。図３のＢからＣの期間である。なぜならば、この報知手段４の報知期間は、まだスイッチング手段２は起動されていないからである。
【００２３】
報知が完了するのは、操作後０．２ｓになり、操作後０．２５ｓで遅延手段５はスイッチング手段２に対して起動を行う。図３のＤのタイミングである。このとき、すなわち前記スイッチング手段２に対して起動を行う前にマイコン６は報知手段４の通電回路に設けた開閉手段４ａを作動させ、報知手段４の通電回路を開く。その後スイッチング手段２は表示手段１に対して電源を供給する。このとき、電源電圧Ｖｃｃは変動する。しかし、報知手段４は、報知を完了しその通電回路が開となっているので、この電源電圧Ｖｃｃは報知手段には印加されず、報知音に「プツ」という電源電圧変動に起因する雑音が混じることはない。
【００２４】
なお、遅延手段５による遅延時間は、報知手段４が報知する期間に合わせて設定する。
【００２５】
なお、遅延手段５は、マイコン６の中で構成してもよい。
【００２６】
なお、表示手段１として蛍光表示管を使用した場合、突入電流が大きいので、本発明の効果が大きいが、蛍光表示管以外にも、電流を多く流す表示手段であれば、電源電圧変動が発生するので、同等の効果がある。他の表示手段の例としては、冷陰極管をバックライトとした液晶表示手段や、ＥＬ（エレクトロルミネセンス）などである。
【００２７】
なお、遅延手段５により、スイッチング手段２が遅延され、結果、表示手段１の点灯が遅れる。しかし、報知手段４により、使用者の操作に対する反応があるため、使用者は違和感なく使用できる。
【００２８】
（実施の形態２）
図４は、本発明の第２の実施の形態における給湯機用リモコンの回路ブロック図を示すものである。図４において、図１と同じものは説明を省略する。図４では、遅延手段４の代わりに、整流素子７とコンデンサ８を設けている。整流素子７の１次側は、電源Ｖｃｃに接続し、整流素子７の２次側にコンデンサ８を接続し、そこを報知手段４の電源としている。
【００２９】
本発明の第２の実施の形態における給湯機用リモコンの外観図は、図２と同じである。
【００３０】
図５は、本発明の第２の実施の形態における給湯機用リモコンの電源電圧図を示すものである。
【００３１】
図６は、本発明の第２の実施の形態における給湯機用リモコンの報知手段電源電圧図を
示すものである。
【００３２】
以上のように構成された給湯機用リモコンについて、図４、図５および図６を用いて、その動作、作用を説明する。
【００３３】
まず、使用者がリモコンを使うために、操作手段３を押す。図５のＡのタイミングである。この時間を０ｓとする。操作手段３の信号をマイコン６が受け、報知手段４を起動する。図５のＢのタイミングである。報知手段は、０．１ｓから０．２ｓまでの０．１秒間、「ピッ」という操作音を報知する。同時に、マイコン６はスイッチング手段２を起動する。スイッチング手段２は表示手段１に対して電源を供給する。このとき、電源電圧Ｖｃｃは変動する。図５のＢからＣの期間である。しかし、報知手段４の電源電圧は、コンデンサ８で保持するため、大きな変動はない。図６のＢからＣの期間である。この期間は、報知手段８の電源電圧より、リモコンの電源電圧Ｖｃｃが低くなるが、整流素子７により電流の逆流は阻止されるため、報知手段４の電源電圧を保つことができる。よって、報知音に「プツ」という電源電圧変動に起因する雑音を低減もしくは無くすことができる。
【００３４】
以上のように、報知手段の電源を、蛍光表示管による表示手段の電源から整流素子で分岐し、前記整流素子の２次側にコンデンサを配置し、前記報知手段の電源としたことにより、報知音に「プツ」という電源電圧変動に起因する雑音を低減もしくは無くすことができる。
【００３５】
なお、表示手段１として蛍光表示管を使用した場合、突入電流が大きいので、本発明の効果が大きいが、蛍光表示管以外にも、電流を多く流す表示手段であれば、電源電圧変動が発生するので、同等の効果がある。他の表示手段の例としては、冷陰極管をバックライトとした液晶表示手段や、ＥＬ（エレクトロルミネセンス）などである。
【産業上の利用可能性】
【００３６】
本発明の給湯機用リモコンは、熱源が電気、ガス、石油、ヒートポンプ、燃料電池のいずれの方式にも利用できる。
【図面の簡単な説明】
【００３７】
【図１】本発明の実施の形態１における給湯機用リモコンの回路ブロック図
【図２】本発明の実施の形態１における給湯機用リモコンの外観図
【図３】本発明の実施の形態１における給湯機用リモコンの電源電圧図
【図４】本発明の実施の形態２における給湯機用リモコンの回路ブロック図
【図５】本発明の実施の形態２における給湯機用リモコンの電源電圧図
【図６】本発明の実施の形態２における給湯機用リモコンの報知手段電源電圧図
【符号の説明】
【００３８】
１  表示手段
２  スイッチング手段
３  操作手段
４  報知手段
４ａ  開閉手段
５  遅延手段
６  マイコン（制御部）
７  整流素子
８  コンデンサ
【図１】
0005194965.tif 000002
【図２】
0005194965.tif 000003
【図３】
0005194965.tif 000004
【図４】
0005194965.tif 000005
【図５】
0005194965.tif 000006
【図６】
0005194965.tif 000007